(57)【要約】【課題】光ファイバケーブルをカラスなどの鳥獣類から噛み切り、引きちぎりなどの外傷被害を防止し、かつ、生活している人々には何ら悪影響を及ぼさない光ファイバケーブルを提供する。【解決手段】地色である黒色をした前記ドロップケーブルまたは釣線、またはこれらの双方にケーブル長手方向に黄色または赤色の帯状体が貼着または塗布によって設けられて、前記黒色と組み合わせてカラス等の鳥獣類が嫌いな色模様を形成する。【選択図】図１
2009020332.tif 000002
【特許請求の範囲】
【請求項１】
光ファイバ心線およびテンション部材を樹脂で構成される外皮で被ったドロップケーブルとこのドロップケーブルを支持する釣線から構成される光ファイバケーブルにおいて、
地色である黒色をした前記ドロップケーブルまたは釣線、またはこれらの双方にケーブル長手方向に黄色または赤色の帯状体が貼着または塗布によって設けられて、前記黒色と組み合わせてカラス等の鳥獣が嫌いな色模様を形成すること
を特徴とする光ファイバケーブル。
【請求項２】
請求項１において、前記帯状体は一本または複数本の直線状もしくは螺旋状もしくは横縞模様に形成されたことを特徴とする光ファイバケーブル。
【請求項３】
請求項１または２において、光ファイバケーブルの表面に印刷されている文字部の文字が黄色または赤色で印字されることを特徴とする光ファイバケーブル。
【請求項４】
光ファイバ心線およびテンション部材を樹脂で構成される外皮で被った光型の光ファイバケーブルにおいて、
地色である黒色をした外皮に、ケーブル長手方向に黄色または赤色の帯状体が貼着または塗布によって設けられて、前記黒色と組み合わせてカラス等の鳥獣類が嫌いな色模様を形成すること
を特徴とする光型の光ファイバケーブル。
【請求項５】
請求項４において、前記帯状体は一本または複数本の直線状もしくは螺旋状もしくは横縞模様に形成されることを特徴とする光型の光ファイバケーブル。
【発明の詳細な説明】
【技術分野】
【０００１】
本発明は、カラスなどの鳥獣類から光ファイバケーブルへの噛み切り、引きちぎり被害を防止する光ファイバケーブルに関する。
【背景技術】
【０００２】
カラスにより、光ファイバケーブルを食いちぎられる被害が増大しており、光ファイバケーブルの断線などの通信異常が発生している。光ファイバは、ガラス繊維でできており、光ファイバケーブルは、ワイヤで補強、ポリエチレンやビニールなどで被覆補強されているものの、太い金属電線や電話線と異なり、くちばしなどで簡単に引きちぎられやすい。近年は、通信速度向上のため、幹線から家庭用回線を分ける分配箱まで細い光ファイバケーブルが接続されており、それらの光ファイバケーブルは、特にカラスなどの鳥獣類に食いちぎられるということを想定していないため、被害にあうケースが増大している。
【０００３】
特許文献１には、光ファイバケーブルとは異なるが、ゴミ袋の外壁を部分的に、黄色と黒色の縞模様の色彩に施した、カラスや鳥獣類を撃退するゴミ袋が記載されている。
【０００４】
特許文献２には、電線に鳥が止まるのを防止する鳥害防止装置において、該電線に螺旋状に装着されるスパイラルロッドと、該スパイラルロッドの外周に塗布された粘着剤とを備えたことを特徴とする鳥害防止装置が記載されている。
【０００５】
特許文献３には、カラスが電柱に近づくことを防止する為に用いるカラス忌避具において、樹脂性のプレートであってその色彩を黄色、黒色、又は赤色とし、内部に高純度シリカチタンなどを燃成して微粉末加工したものを混入し、表面からはマイナスイオンを放出するように構成したことを特徴とするカラスの忌避具が記載されている。
【０００６】
【特許文献１】実用新案登録第３０９５３６５号公報
【特許文献２】特開２００２−１４２６５３号公報
【特許文献３】特開２００６−２５７３３号公報
【発明の開示】
【発明が解決しようとする課題】
【０００７】
従来、光ファイバケーブルに対するカラスによる噛み切り、引きちぎり被害を防止する有力な案が提供されていない。
【０００８】
一般的に、カラスを威嚇する方法として、光や音、電気ショックによる威嚇が考えられるが、光ファイバケーブルは、前に述べたように一般家庭など人が生活している場所付近で使用されているため、カラスなど鳥獣類防止とはいえ、光、音、電気ショックの威嚇は、同時に生活している住人に対しても威嚇となり、快適な生活空間を脅かしかねない。
【０００９】
本発明は、光ファイバケーブルをカラスなどの鳥獣類から噛み切り、引きちぎりなどの外傷被害を防止し、かつ、生活している人々には何ら悪影響を及ぼさない光ファイバケーブルを提供することを目的とする。
【課題を解決するための手段】
【００１０】
光ファイバケーブルの被覆は、ポリエチレンなどの樹脂からなり、一般的に黒色となっている。また、光ファイバケーブルの一部には、光ファイバケーブルの種類や製造メーカ名、通信業者名、製造年などの文字が光ファイバケーブル被覆表面に印刷されている。
【００１１】
カラスは、犬や猫などの一般的な鳥獣類より学習能力が高いといわれており、一般に広く普及した光ファイバケーブルや電力線、電話線などはカラスに危害を及ぼさないことを理解している。光ファイバケーブルは、ガラス繊維でできており、光ファイバケーブルは、ワイヤで補強、ポリエチレンやビニールなどの被覆補強されているものの太い金属電線や電話線と異なり、くちばしなどで簡単に引きちぎられやすいケーブルである。近年は、通信速度向上のため、幹線から家庭用回線を分ける分配箱まで細い光ファイバケーブルが接続されており、それらの光ファイバケーブルは、特にカラスなどの鳥獣類に食いちぎられるということを想定していないため、被害にあうケースが増大している。
【００１２】
カラスなどの鳥獣類は毒をもった動物や昆虫、獰猛な動物を天敵とし、危険を察知し、近寄らない習性がある。たとえば、ハチやクモ、蛇のような毒をもった動物、昆虫やトラなどの獰猛な動物には近寄らない。それらの毒をもった動物や昆虫、獰猛な動物に共通している模様を光ファイバケーブルに施すことで、カラスなど鳥獣類は、自分に危険が及ぶと警戒し、近寄らないと考え、本発明するに至った。そのカラスなどの鳥獣類が警戒する模様は、有彩色の中でもっとも発光性が高い黄色と無彩色の黒を対比して強調した色の組み合わせてあり、毒をもったハチ、クモ、蛇や獰猛なトラの模様と良く似ている。
【００１３】
また、赤色についてもカラスなどの鳥獣類が嫌がる色といわれている。光ファイバケーブルの被覆は黒色であり、それと対比させるようにその上に黄色または赤色の模様をつけることで、カラスなどの鳥獣類は、天敵であると認識し、警戒する色模様を提供することができ、光ファイバケーブルに近寄らなくなり、先に述べたように食いちぎられるようなトラブルを防ぐことができる。
【００１４】
本発明は具体的には、光ファイバ心線およびテンション部材を樹脂で構成される外皮で被ったドロップケーブルとこのドロップケーブルを支持する釣線から構成される光ファイバケーブルにおいて、
地色である黒色をした前記ドロップケーブルまたは釣線、またはこれらの双方にケーブル長手方向に黄色または赤色の帯状体が貼着または塗布によって設けられて、前記黒色と組み合わせてカラス等の鳥獣が嫌いな色模様を形成すること
を特徴とする光ファイバケーブルを提供する。
【００１５】
また、前記帯状体は一本または複数本の直線状もしくは螺旋状もしくは横縞模様に形成されたことを特徴とする光ファイバケーブルを提供する。
【００１６】
また、光ファイバケーブルの表面に印刷されている文字部の文字が黄色または赤色で印字されることを特徴とする光ファイバケーブルを提供する。
【００１７】
また、光ファイバ心線およびテンション部材を樹脂で構成される外皮で被った光型の光ファイバケーブルにおいて、
地色である黒色をした外皮に、ケーブル長手方向に黄色または赤色の帯状体が貼着または塗布によって設けられて、前記黒色と組み合わせてカラス等の鳥獣類が嫌いな色模様を形成すること
を特徴とする光型の光ファイバケーブルを提供する。
【００１８】
ここで、カラス等の鳥獣類が嫌いな色とはカラス等の鳥獣類が色に基因して攻撃を回避し、近づかない挙動をすることの原因となる色のことである。
【発明の効果】
【００１９】
カラスなどの鳥獣類の天敵である、毒をもったハチ、クモ、蛇や獰猛なトラの模様のような黄色と黒の警戒色や赤色と黒などの警戒色である色の組み合わせになる警戒色を光ファイバケーブルに形成することによって、光ファイバケーブルのカラスからの噛み切り、引きちぎりの被害を防止する効果が得られる。
【発明を実施するための最良の形態】
【００２０】
以下、本発明の実施例を図面に基づいて説明する。
【実施例１】
【００２１】
図１は、本発明の実施例のカラスなどの鳥獣類が嫌がる色模様を形成した光ファイバケーブルの構成を示し、図２は、その断面を示す。
【００２２】
まず、図１および図２を使用して本実施例が適用される光ファイバケーブル１０の構成を説明すると、光ファイバケーブル１０は、この例ではドロップケーブル形態を呈し、ドロップケーブル（ドロップケーブルのエレメント部）１とこれを支持する釣線（支持線を備えた支持部）１２とが構成され、ドロップケーブル１は、中央部に光ファイバ心線３と両側にテンション部材（テンションメンバー）４とを備え、光ファイバ心線３およびテンション部材４は樹脂で形成された外皮５によって被覆される。そして、光ファイバ心線に対峙する形で切り込み（ノッチ）６が形成されている。このようにして構成されたドロップケーブル１は、釣線２によって釣部７を介して支持される。釣線２の中央部には銅線８が設けられる。
【００２３】
このようなドロップケーブル形態の光ファイバケーブル１０において、釣線２の外皮９の表面に黄色の表面の一部を含める一部の帯状体１１が貼着によってまたは塗布によってケーブル長手方向に直線状に一定の幅、例えば１〜２ｍｍの幅を持って形成される。図では２本の帯状体１１が形成されているが、一本の場合でもよいし、複数本でもよいし、等間隔に周全体に設けてもよい。黄色に変えて赤色にしても効果がある。
【００２４】
外皮９は地色が黒色である樹脂で形成されており、この結果、黄色の帯状体は黄色の帯状体間に地色である黒色が黒色部１０として現われ、黄色と黒色の色模様が形成されることになる。この黄色と黒色の色模様はカラス等の鳥獣類が嫌がる色模様であることは前述の通りである。
【実施例２】
【００２５】
図３は、本発明の第２の実施例の構成を示す。第１の実施例と同一の構成についての同一番号が付してあり、第１の実施例の説明を援用する。以下の実施例についても同じである。図３に示す実施例にあっては、直線状の帯状体に代えてケーブルの長手に延帯する螺旋状の帯状体１１が外皮９の表面上に形成されている。このケースの場合、色模様は無色部分１０とで螺旋状に形成される。
【実施例３】
【００２６】
図４は、第３の実施例の構成を示す。この例の場合、黄色の帯状体１１はドロップケーブル２の外皮５上に切り込み６を挟んで両側の平面であるケーブル表面に直線状に形成されている。切り込み６を挟んで両側に設けていずれの例においても黒色部１０と黄色部の帯状体１１の色模様からなる警戒色を形成したことを特徴とする。
【実施例４】
【００２７】
図５は、第４の実施例の構成を示す。この例の場合、釣線全体が黄色が施される。そして、この例の場合、黄色部が全面帯体１１となって釣線１に形成され、地色である黒色部はドロップケーブル２の平面上に形成されて色模様となる。
【００２８】
図１、図２、図３、図４および図５に示す色模様（黄色使用）がカラスに対して忌避効果があるかを観測した。観測は各図に示す１ｍｍの帯状体（図１、図２、図３）および全面帯状体（図５）を形成し、カラスの巣作り活動が活発な３月、４月および５月の３ヶ月間、カラスが目撃される森に３０ｍ布設し、その後、外傷の数、断線有無を測定した。表１にその観測結果を示す。
【００２９】
【表１】
2009020332.tif 000003
【００３０】
この観測結果からわかるように、ドロップケーブル形態の光ファイバケーブルにおいて、カラスなどの鳥獣類が嫌う、または警戒する黄色の線を黒い被覆の上に設けることで、カラスからの攻撃を防ぐことができることがわかった。従来のドロップケーブルは、カラスからの攻撃により、布設したケーブルの一部が完全に食いちぎられてなくなっていた。
【００３１】
カラスからの攻撃を防ぐためには、カラスなどの鳥獣類が嫌う黄色と黒を強調する模様にすればよく、例えば、通常の光ファイバケーブルを黄色のダミー線に引っ掛けて布設する場合も同じ効果が得られる。さらに、黄色のコイル状の帯などを光ファイバケーブルの外周に巻きつけて布設あるいは塗布する場合も同じ効果が得られる。また、カラスなど鳥獣類が嫌う色としては、黄色だけでなく赤もある。赤を同じように黒い被覆上に設けることでも同様の効果が得られる。さらに、黄色と赤色の線の複合でも同じ効果が得られる。
【実施例５】
【００３２】
図６（１）から図６（５）は他の光ファイバケーブルである光型の光ファイバケーブルに本発明を適用した例を示す。丸型の光フィイバケーブルであるが、光ファイバケーブルとしての構成は図１および図２に示すと同様である。図６（１）は、光ファイバケーブル１０の黒い外皮５の上にケーブル長手方向に直線状の黄色の帯状体１１を設けて黒色帯２１と共に色模様を形成した光ファイバケーブルを示す。
【００３３】
図６（２）は、光ファイバケーブル１０の黒い外皮５の上にケーブル長手方向に螺旋状に黄色の帯状体１１を設けて黒色帯２１と共に色模様を形成した光ファイバケーブルを示す。
【００３４】
図６（３）は、光ファイバケーブル１０の黒い外皮５の上にケーブル円周に黄色の帯状体１１を付け、縞模様を設けた光ファイバケーブルを示す。
【００３５】
図６（４）は、光ファイバケーブル１０の黒い外皮５の上に連続的でない黄色の帯状体１１を長手方向に設けて黒色帯２１と共に色模様を形成した光ファイバケーブルを示す。
【００３６】
図６（５）は、従来の丸型の光ファイバケーブル１０を示す。
【００３７】
図６（１）−（４）および図４（５）に示す光ファイバケーブル１０についてカラスに対して忌避効果があるかを観測した。
【００３８】
図６（１）−（４）において１ｍｍ幅の黄色の帯状体を外皮に形成して観測した。
【００３９】
図６（１）−（４）の光ファイバケーブルと図４（５）従来の光ファイバケーブルを５月末に回収し、カラスなど鳥獣類により発生したであろう外傷の数を測定した。表２は、布設した各光ファイバケーブル３０ｍ当たりの外傷の数を示す。光ファイバが断線していないかの確認も同時に行った。
【００４０】
【表２】
2009020332.tif 000004
【００４１】
この実験結果から光ファイバケーブルの黒い外皮上にカラスなどの鳥獣類が嫌う色である黄色の線を設けた発明した鳥獣避け光ファイバケーブルは、明らかに従来の光ファイバケーブルよりカラスなどの鳥獣類からの攻撃をされづらいことがわかる。さらに、図４（２）、図４（３）の光ファイバケーブルのように、黄色を強調するように繰返し模様は、遠くからの識別効果をもたらし、警戒色が強いため、より高い鳥獣避けの効果が得られることがわかった。
【図面の簡単な説明】
【００４２】
【図１】本発明の実施例の構成を示す側面図。
【図２】図１の縦断面図。
【図３】本発明の他の実施例の構成を示す側面図。
【図４】本発明の他の実施例の構成を示す側面図。
【図５】本発明の他の実施例の構成を示す側面図。
【図６】図６（１）−（４）は他タイプの実施の各構成を示し、図６（５）は従来の構成を示す側面図。
【符号の説明】
【００４３】
１…ドロップケーブル、２…釣線、３…光ファイバ心線、４…テンション部材、５…ドロップケーブルの外皮、６…取り込み（ノッチ）、９…釣線の外皮、１０…光ファイバケーブル、１１…帯状体、２１…黒色部。
【図１】
2009020332.tif 000005
【図２】
2009020332.tif 000006
【図３】
2009020332.tif 000007
【図４】
2009020332.tif 000008
【図５】
2009020332.tif 000009
【図６】
2009020332.tif 000010